(57)【要約】【課題】  周囲の環境が変化しても、結露が発生しにくいカーテンウォールを提供する。【解決手段】  スパンドレル部２０１、２０２の室外側にガラスパネル８１１、８１２を配し、ガラスパネルの背後に耐火パネル８２１、８２２を設けたカーテンウォール１００において、耐火パネルはその室外側の少なくとも二点を固定ピース４５１、４５２により支持するとともに、その室内側は周囲を囲むようにシール部材４６１、４６２により支持可能として、シール部材はスパンドレル部型材４２１、４２２に着脱自在に取り付ける。【選択図】      図２
2006118225.tif 000002
【特許請求の範囲】
【請求項１】
スパンドレル部の室外側にガラスパネルを配し、該ガラスパネルの背後に耐火パネルを設けたカーテンウォールであって、
前記耐火パネルは、その室外側の少なくとも二点が固定ピースにより支持されるとともに、その室内側は、周囲を囲むようにシール部材により支持可能とされ、
該シール部材は、前記スパンドレル部型材に着脱自在に取り付けられている、
ことを特徴とするカーテンウォール。
【請求項２】
前記周囲を囲むシール部材の少なくとも一部が取り外された請求項１に記載のカーテンウォール。
【発明の詳細な説明】
【技術分野】
【０００１】
本発明は、カーテンウォールに関し、特にスパンドレル部に結露が発生しにくいカーテンウォールに関する。
【背景技術】
【０００２】
ビルの外装部として、カーテンウォールの使用が一般的なものとなっている。カーテンウォールは、工場等で組み立てたカーテンウォールユニットを、躯体に固定された取り付け金物に取り付けるだけで、現場において簡単に施工できる上、意匠性も高く、新築及び建て替えビルに広く採用されている。
【０００３】
それぞれのカーテンウォールユニットは、開口部と、スパンドレル部（「腰部」ともいう。）とを備え、開口部は、室内側と室外側とがガラスパネルにより仕切られている。
【０００４】
一方、スパンドレル部は、ビルの床や天井に対応する部分であり、室外側には開口部との同様のガラスパネルが張られている。また、その室内側には、所定の空間を隔てて、ビル内部の天井部や床部を室外側の視線から隠蔽するため、また、防火上の要請から、耐火パネルが配設されている。また、通常この耐火パネルを形成する材料としてケイ酸カルシウム板が使用されている。
【０００５】
図９及び図１０はかかるスパンドレル部を示す水平断面図、及び垂直断面図である。図示のスパンドレル部８０には、室外側にガラスパネル８１、室内側に耐火パネル８２が配置され、これらガラスパネル８１、耐火パネル８２の間は、空間Ｓとされている。従来のカーテンウォールにおいては、図示されているように耐火パネル８２は、下部底辺がスパンドレル部の台座８６上に載置され、他の三辺はスパンドレル部の型材８３、８４、８５に隙間なく密着して固定されている。
【０００６】
一方、ガラスパネル８１は、その周囲をスパンドレル部型材に取り付けられたビード９１〜９８により密封されている。従って、スパンドレル部の空間Ｓは、見込み方向の四面をスパンドレル部型材、室外側面をガラスパネル８１、室内側面を耐火パネル８２により囲まれた密閉空間とされていた。
【発明の開示】
【発明が解決しようとする課題】
【０００７】
しかし、上記のとおり耐火パネル８２は通常ケイ酸カルシウムの板で形成されており、製造工程において、加水を行うために含水材料（製品）となっており、また透湿性を有することから、ガラスパネル８１の室内側に結露が発生するという問題があった。すなわち空間Ｓの温度が上昇すると耐火パネル８２から空間Ｓに湿気が放出される。放出された湿気は、カーテンウォールが設置された環境、すなわち日照条件、外気温などで空間Ｓの相対湿度が変化するため、条件により結露を発生したり、しなかったりする。たとえば、夜間になって、空間Ｓの温度が低下したときには、相対湿度が上がりガラス面に結露する。一方、カーテンウォールに西日などがあたって、温度上昇すると相対湿度が下がり、結露が発生しない、あるいは消失するのである。通常このような結露の発生、消失を繰り返しており、建物の外観上問題となっていた。
【０００８】
そこで、本発明は、周囲の環境が変化しても、結露が発生しにくいカーテンウォールを提供することを課題とする。
【課題を解決するための手段】
【０００９】
本願発明者らは、上記課題解決のため種々検討した結果、以下の知見を得て本発明を完成させるに至った。
（１）夜間、日陰、建物北側等、日射の当たらない場合には、スパンドレル部の空間を密閉するほうが結露しにくい。
（２）一方、カーテンウォールに西日等の日射があたる場合には、スパンドレル部の空間を開放するほうが、結露が生じにくい。
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、スパンドレル部（２０１、２０２）の室外側にガラスパネル（８１１、８１２）を配し、ガラスパネルの背後に耐火パネル（８２１、８２２）を設けたカーテンウォール（１００）であって、耐火パネルはその室外側の少なくとも二点が固定ピース（４５１〜４５４）により支持されるとともに、その室内側は周囲を囲むようにシール部材（４６１〜４６４）により支持可能とされ、シール部材はスパンドレル部型材（４２１、４２２、５０５、５０６）に着脱自在に取り付けられている、ことを特徴とするカーテンウォールにより前記課題を解決する。
【００１２】
請求項２に記載の発明は、請求項１に記載のカーテンウォールにおいて、周囲を囲むシール部材の少なくとも一部が取り外されたことを特徴とする。
【発明の効果】
【００１３】
請求項１の発明によれば、カーテンウォールのおかれた状況に応じて、シール部材をつけたままにしておく、あるいは少なくとも一部を取り外すことが可能であるので、どのような施工場所であっても、結露の発生を抑制するカーテンウォールを提供することができる。たとえばカーテンウォールが日照を受ける場合には、シール部材の少なくとも一部を取り去って、日照により耐火パネルから放出された湿気をスパンドレル部の空間Ｓから、室内側に逃がす空気の流通路を形成することにより、日照がかげり、気温が低下しても結露が発生しにくいカーテンウォールとすることができる。一方、カーテンウォールがたとえば建物北面に配置されていたり、あるいは南側に高層の建物があって、終日日照を受けない状況下にある場合には、耐火パネル室内側周囲を支持しているシール部材をそのまま取り外さずにおくことにより、気温が低下してもガラス面に結露が発生するのを抑制することができる。
【００１４】
請求項２の発明によれば、シール部材の少なくとも一部が取り外されているので、たとえばカーテンウォールが日照を受ける場合には、日照により耐火パネルから放出された湿気をスパンドレル部の空間Ｓから、室内側に逃がす空気の流通路が形成されて、日照がかげり、気温が低下しても結露が発生しにくい。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は、カーテンウォールの外観を示す（Ａ）は正面図、（Ｂ）は側部断面図である。図示のカーテンウォール１００は、ビル内部の室内（いわゆる居住空間）に対応する開口部１０ａ、１０ｂ、…（以下において個々の開口部一般をさすときは、参照符号「１０」を使用して「開口部１０」ということがある。）と、天井及び床に対応するスパンドレル部２０ａ、２０ｂ、…（以下において個々のスパンドレル部一般をさすときは、参照符号「２０」を使用して「スパンドレル部２０」ということがある。）とを備えている。開口部１０ａ、１０ｂ、…とスパンドレル部２０ａ、２０ｂ、…とは、それぞれが横方向に一列に配列され、開口部１０ａ、１０ｂ、…とスパンドレル部２０ａ、２０ｂ、…とが形成する横方向の各列は、上下方向に一段おきに配置されている。個々の開口部１０とスパンドレル部２０とは、カーテンウォール１００の正面方向から見ると升目状を呈している。これらの各升目は、カーテンウォール１００の上下方向にわたり配設されたユニット縦枠３０ａ、３０ｂ、３０ｃ、…と、カーテンウォール１００の左右方向にわたって配設された無目４０ａ、４０ｂ；４１ａ、４１ｂ；…により仕切られている。
【００１８】
図２は、シール部材が取り付けられたカーテンウォールスパンドレル部の水平断面を示す図である。この図においては、ユニット縦枠３０ａの左右に配置された２つのスパンドレル部２０１、２０２があらわされている。
【００１９】
建物の基礎鉄骨１には一対の連結部材５１、５２がボルト１１、１２により固定されている。さらに連結部材５１、５２にはそれぞれにボルト６１、６２により左縦材３０１、右縦材３０２が対向して固定されている。これら一対の左縦材３０１、及び右縦材３０２が組み合わせられてひとつのユニット縦枠３０ａとして機能している。左縦材３０１、及び右縦材３０２には、ゴム等で形成された弾性シール材３１１、３１２が取り付けられて、これら弾性シール材３１１、３１２の協働によりユニット縦枠３０ａ内外の水密と通気とをはかっている。
【００２０】
左縦材３０１、及び右縦材３０２のそれぞれの室外側先端部には、ビード９１１、９３１；９１２、９３２を介して単層ガラスパネル８１１、８１２が取り付けられている。また、左縦材３０１、及び右縦材３０２の中央部やや室内側よりの、互いに対向する面とは反対側に固定枠材４０１、４０２が固定金具４４１、４４２により取り付けられている。固定枠材４０１、４０２は水平断面が略「コ」の字型に形成され、一対の室内外側アーム４１１、４１２；４２１、４２２を、取り付け部４３１、４３２により連結している。上記固定金具４４１、４４２は取り付け部４３１、４３２に設けられた孔に差し入れられて、さらに左右の左縦材３０１、及び右縦材３０２に固定されている。
【００２１】
室内側アーム４２１、４２２は、固定枠材４０１、４０２とは別部材として形成され、取り付け部４３１、４３２からＬ字状に張り出した部位に固定金具４７１、４７２により固定されている。
【００２２】
室外側アーム４１１、４１２の先端には室内側に向けて、固定ピース４５１、４５２が取り付けられている。室内側アーム４２１、４２２の先端には室外側に向けて、シール部材４６１、４６２が取り付けられている。これら固定ピース４５１、４５２とシール部材４６１、４６２とに挟持されるように耐火パネル８２１、８２２が固定されている。
【００２３】
固定ピース４５１、４５２は、耐火パネル８２１、８２２の室外側の面に少なくとも２点で当接されていれば良く、室外側面の全周にわたり配設されることはない。一方、シール部材４６１、４６２は、耐火パネル８２１、８２２の室内側面の周囲全周にわたって当接されている。なお、耐火パネル８２１、８２２の周囲四辺の各片に、別ピースのシール部材の端部同士を当接させて、連続するように配置することが好ましい。
【００２４】
なお、図２において、円形の鎖線４（Ａ）にて囲まれた範囲を拡大して、図４（Ａ）に示す。これについては後に説明する。
【００２５】
図３は、図２に示されたカーテンウォールスパンドレル部２０１、２０２から、シール部材４６１、４６２を取り除いたものを示す水平断面図である。大半が図２に示された部材と同一の部材であるので、これらについては図２において使用した参照符号と同一の参照符号を付して、その説明は省略する。なお、図３において、円形の鎖線４（Ｂ）にて囲まれた範囲を拡大して、図４（Ｂ）に示す。
【００２６】
図４（Ａ）は図２の４（Ａ）部を、（Ｂ）は図３の４（Ｂ）部をそれぞれ拡大して示す図である。図４（Ａ）に示される状態、すなわちシール部材４６２が取り付けられている状態におけるカーテンウォールスパンドレル部２０２において、室外側のガラスパネル８１２と室内側の耐火パネル８２２との間に位置する空間Ｓ２は、その周囲をガラスパネル８１２、ビード９３２、右縦材３０２、固定枠材４０２、シール部材４６２、及び耐火パネル８２２等により囲まれている。これに対し、図４（Ｂ）に示されるように、シール部材４６２が取り外されると、スパンドレル部空間Ｓ２から耐火パネル８２２の端部外側を経て室内側に抜ける空気の通路Ｒ１（図において鎖線の矢印で表されている。）が形成され、スパンドレル部内部の空気を室内側に流出させることが可能となる。
【００２７】
図５は、シール部材が取り付けられたカーテンウォールスパンドレル部の垂直断面を示す図である。図示のスパンドレル部２０１は、上方の開口部１０１、下方の開口部１０２の間に配置されている。スパンドレル部２０１の上部には、上部無目５００ａが備えられている。上部無目５００ａは、開口部１０１側の第一ピース５０１と、スパンドレル部２０１側の第二ピース５０２が組み合わされて形成されている。一方、スパンドレル部２０１の下部には下部無目５００ｂが備えられている。
【００２８】
第二ピース５０２にはビード９１３、９３３が、下部無目５００ｂにはビード９１４、及びビード９３４が取り付けられ、これら各ビードにより単層ガラスパネル８１１が室外側に固定されている。一方、第二ピース５０２の室内側には上部アーム５０５が取り付けられている。第二ピース５０２の下部室内側には固定ピース４５３が取り付けられている。上部アーム５０５の先端にはシール部材４６３が取り付けられている。
【００２９】
下部無目５００ｂの室内側上部にはアーム部５０６が形成されており、先端側において２つに分岐したアーム部５０６の各先端には、室外側に固定ピース４５４が、室内側にはシール部材４６４がそれぞれに取り付けられている。そしてこれら室外側に配置された固定ピース４５３、４５４と、室内側に配置されたシール部材４６３、４６４に挟持されるようにして、耐火パネル８２１が配置されている。
【００３０】
なお、図２の説明でもあったように、固定ピース４５３、４５４は、耐火パネル８２１の室外側の面に少なくとも２点で当接されていれば良く、室外側面の全周にわたり配設されることはない。一方、シール部材４６３、４６４は、耐火パネル８２１の室内側面の周囲全周にわたって当接されている必要がある。なお、耐火パネル８２１の周囲四辺の各片に、別ピースのシール部材４６１、４６２、４６３、４６４の端部同士を当接させて、連続するように配置することが好ましい。
【００３１】
なお、図５において、円形の鎖線７（Ａ）にて囲まれた範囲を拡大して、図７（Ａ）に示す。これについては後に説明する。
【００３２】
図６は、図５に示されたカーテンウォールスパンドレル部２０１から、シール部材４６３、４６４を取り除いたものを示す垂直断面図である。大半が図５に示された部材と同一の部材であるので、これらについては図５において使用した参照符号と同一の参照符号を付して、その説明は省略する。なお、図６において、円形の鎖線７（Ｂ）にて囲まれた範囲を拡大して、図７（Ｂ）に示す。
【００３３】
図７（Ａ）は図５の７（Ａ）部を、（Ｂ）は図６の７（Ｂ）部をそれぞれ拡大して示す図である。図７（Ａ）に示される状態、すなわちシール部材４６４が取り付けられている状態におけるカーテンウォールスパンドレル部２０１において、室外側のガラスパネル８１１と室内側の耐火パネル８２１との間に位置する空間Ｓ１は、その周囲をガラスパネル８１１、ビード９３３、第二ピース５０２、上部アーム５０５、シール部材４６３、耐火パネル８２１、シール部材４６４、下部無目５００ｂ、ビード９３４により囲まれている。これに対し、図７（Ｂ）に示されるように、シール部材４６４が取り外されると、スパンドレル部空間Ｓ１から耐火パネル８２１の下端部下側を経て室内側に抜ける空気の通路Ｒ２（図において鎖線の矢印で表されている。）が形成され、スパンドレル部２０１内部の空気を室内側に流出させることが可能となる。
【００３４】
図８は、耐火パネルの室内側に当接されるシール部材の取り外しのパターンを示す図である。図３、図４（Ｂ）、図６、図７（Ｂ）にはいずれも、シール部材４６１〜４６４を取り外した状態を説明したが、スパンドレル部の通気をはかるためには、耐火パネル８２１、８２２の室内側面の周囲に当接されるシール部材４６１〜４６４のうち、少なくともひとつがはずされていれば足りる。
【００３５】
図８（Ａ）は、四辺全てのシール部材が取り付けられている状態を示し、図２、及び図５に対応するものである。図８（Ｂ）は、スパンドレル部の通気をはかる上で、最も好ましい態様を示すもので、上下のシール部材４６３、４６４が取り去られている。かかる態様にすれば、スパンドレル部の上下から通気をはかることができ、またこれら上下の位置は、建物の床面、天井部に位置するため、作業性も良い。図８（Ｃ）は、上部のシール部材４６３のみを取り去った態様、図８（Ｄ）は下部のシール部材４６４のみを取り去った態様、図８（Ｅ）は左右のシール部材４６１、４６２を取り去った態様、図８（Ｆ）は四辺全てのシール部材４６１〜４６４を取り去った態様をそれぞれ表している。図８（Ａ）の態様を除き、いずれの態様によっても、スパンドレル部の通気をはかることができ、スパンドレル部に日照があたる場合のガラスパネル室内側面における結露を抑制することができる。
【００３６】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴うカーテンウォールもまた本発明の技術的範囲に包含されるものとして理解されなければならない。
【図面の簡単な説明】
【００３７】
【図１】カーテンウォールの外観を示す（Ａ）は正面図、（Ｂ）は側部断面図である。
【図２】シール部材が取り付けられたカーテンウォールスパンドレル部の水平断面を示す図である。
【図３】シール部材が取り外されたカーテンウォールスパンドレル部の水平断面を示す図である。
【図４】（Ａ）は図２の４（Ａ）部を、（Ｂ）は図３の４（Ｂ）部をそれぞれ拡大して示す図である。
【図５】シール部材が取り付けられたカーテンウォールスパンドレル部の垂直断面を示す図である。
【図６】シール部材が取り外されたカーテンウォールスパンドレル部の垂直断面を示す図である。
【図７】（Ａ）は図５の７（Ａ）部を、（Ｂ）は図６の７（Ｂ）部をそれぞれ拡大して示す図である。
【図８】耐火パネルの室内側に当接されるシール部材の取り外しのパターンを示す図である。
【図９】従来のカーテンウォールスパンドレル部を示す水平断面図である。
【図１０】従来のカーテンウォールスパンドレル部を示す垂直断面図である。
【符号の説明】
【００３８】
Ｒ１、Ｒ２  空気通路
Ｓ  スパンドレル部空間
１  基礎鉄骨
１１、１２  ボルト
１０、１０ａ、１０ｂ、１０ｃ、…  開口部
２０、２０ａ、２０ｂ、２０ｃ、…  スパンドレル部
３０、３０ａ、３０ｂ、３０ｃ、…  ユニット縦枠
４０ａ、４１ａ、４２ａ…  上側無目
４０ｂ、４１ｂ、４２ｂ…  下側無目
５１、５２  連結部材
６１、６２  ボルト  
８０  スパンドレル部
８１  ガラスパネル
８２  耐火パネル
８３、８４、８５  型材
８６  台座
９１〜９８  ビード
１００  カーテンウォール
１０１、１０２  開口部
２０１、２０２  スパンドレル部
３０１  左縦材
３０２  右縦材
３１１、３１２  弾性シール材
４０１、４０２  固定枠材
４１１、４１２  室外側アーム
４２１、４２２  室内側アーム
４３１、４３２  取り付け部
４４１、４４２  固定金具
４５１、４５２  固定ピース
４５３、４５４  固定ピース
４６１、４６２  シール部材
４６３、４６４  シール部材
４７１、４７２  固定金具
５００ａ  上部無目
５００ｂ  下部無目
５０１  第一ピース
５０２  第二ピース
５０５  上部アーム
５０６  下部アーム
８１１、８１２  ガラスパネル
８２１、８２２  耐火パネル
９１１、９１２、９３１、９３２  ビード
９１３、９１４、９３３、９３４  ビード
【図１】
2006118225.tif 000003
【図２】
2006118225.tif 000004
【図３】
2006118225.tif 000005
【図４】
2006118225.tif 000006
【図５】
2006118225.tif 000007
【図６】
2006118225.tif 000008
【図７】
2006118225.tif 000009
【図８】
2006118225.tif 000010
【図９】
2006118225.tif 000011
【図１０】
2006118225.tif 000012